(57)【要約】      （修正有）【課題】試験用遮熱塗膜を、いかなる場所においても迅速に、かつ需要者に対して直感的に判り易く展示することができる評価装置を開発すること。【解決手段】持ち運び可能な箱型ケースの中身部と蓋部を略９０度に開き、蓋部最上部から水平に伸びる腕部により光源を保持することにより、中身部上部に水平に載置した遮熱塗膜塗装板を照射し、塗装板の裏側に取り付けた温度センサーと、これに接続した温度表示装置により温度の上昇及び飽和温度を測定することを特徴とする遮熱塗膜の評価装置。箱型ケースの中身部内側面に断熱材が貼付されてなることを特徴とする上記に記載された遮熱塗膜の評価装置。【選択図】図１
2005024252.tif 000002
【特許請求の範囲】
【請求項１】
持ち運び可能な箱型ケースの中身部と蓋部を略９０度に開き、蓋部最上部から水平に伸びる腕部により光源を保持することにより、中身部上部に水平に載置した遮熱塗膜塗装板を照射し、塗装板の裏側に取り付けた温度センサーと、これに接続した温度表示装置により温度の上昇及び飽和温度を測定することを特徴とする遮熱塗膜の評価装置。
【請求項２】
箱型ケースの中身部内側面に断熱材が貼付されてなることを特徴とする請求項１に記載された遮熱塗膜の評価装置。
【請求項３】
温度センサーに連続記録装置が接続されてなることを特徴とする請求項１に記載された遮熱塗膜の評価装置。
【発明の詳細な説明】
【０００１】
【発明の属する技術分野】
本発明は、遮熱塗膜の評価装置に関する。
【０００２】
【従来の技術】
我が国の夏季気候は高温、多湿であり、建築、構築物の屋根部に対して塗装される塗膜に遮熱性を付与することは、建物内部の温度環境を緩和し、冷房に消費されるエネルギーを減らす効果がある。
【０００３】
このため、塗料メーカー各社から遮熱塗膜を形成する遮熱塗料が開発され、上市されている。本出願人からも、特願２００２−０３６８７７号  遮熱防音塗料及び遮熱防音工法  として特許出願を行なっている。
【０００４】
しかしながら、遮熱塗膜は一種の機能性塗料による塗装塗膜であるため、その機能、効能はカタログや技術資料のみでは、需要者に十分に伝達できるとは言い難い。
【０００５】
【発明が解決しようとする課題】
そこで、必要とされる試験用遮熱塗膜を、いかなる場所においても迅速に、かつ需要者に対して直感的に判り易く展示することができる評価装置を開発することを課題とする。
【０００６】
【課題を解決するための手段】
上記課題を解決せんとして、本発明者は鋭意研究の結果、使用する場所を選ばず、迅速な評価が可能で、わかりやすい評価装置を開発したものであり、その要旨は以下に存する。
【０００７】
持ち運び可能な箱型ケースの中身部と蓋部を略９０度に開き、蓋部最上部から水平に伸びる腕部により光源を保持することにより、中身部上部に水平に載置した遮熱塗膜塗装板を照射し、塗装板の裏側に取り付けた温度センサーと、これに接続した温度表示装置により温度の上昇及び飽和温度を測定することを特徴とする遮熱塗膜の評価装置。
箱型ケースの中身部内側面に断熱材が貼付されてなることを特徴とする上記に記載された遮熱塗膜の評価装置。
温度センサーに連続記録装置が接続されてなることを特徴とする上記に記載された遮熱塗膜の評価装置。
以下に詳細に説明する。
【０００８】
図面には、本発明になる遮熱塗膜の評価装置を簡略概念化した側面側の断面図を示している。
【０００９】
持ち運び可能な箱型ケースは、本装置に必要な要素一式を収容するための容積があればよく、外側材料は光源を保護するために必要な強度、剛性を備えていれば、いかなる材料であっても良い。軽金属、木材、各種のプラスチック、強化プラスチック等を例示することができる。中身部と蓋部は完全に分離してもかまわないが、数ヵ所が蝶番により固定されていることにより、蓋部が任意の角度に開くものが好ましい。また蝶番に固定機構があり、蓋部を任意の角度に開いた状態で、当該角度を保持できるものは更に好ましい。
【００１０】
光源は、太陽光を代替し、可視光線を発生させる電球、レフランプ等の各種のランプを使用することができる。光源に使用する電源は電源コードを経由してプラグにより、家庭用電気コンセントに接続することで容易に得ることができる。なお、プラグに代えてバッテリー用クリップを取りつけておけば、各種の電池、バッテリー類から電源を得ることが可能となる。
【００１１】
蓋部を略９０度に開いて固定し、蓋部の最上部から腕部により光源を下向きに固定する。腕部は光源を保持することができれば材質、形状には特に限定はない。光源であるランプ等のソケット部分を挟み込み、クランプネジにより固定する挟み込み部を有する金属製アーム等が好適に使用できる。腕部と蓋部最上部とは、クリップ等の固定金具、粘着テープ等の任意の方法により固定される。
【００１２】
光源直下には、評価を行なう遮熱塗膜を形成した塗装板を水平に載置する。塗装板は、金属、スレート等の無機材料、プラスチック等の有機材料など、いかなる材質のものでもかまわない。
また、遮熱塗膜塗装板とは別に、対照試験用として通常の塗装を施した塗装板を用意しておき、光源直下にこの２枚を並べて載置することにより、遮熱塗膜による遮熱効果を数値的に表現することが可能である。
【００１３】
載置した遮熱塗膜塗装板の裏側には、温度センサーを取りつけておく。温度センサーは、従来公知の熱電対等が使用できる。２枚の塗装板を載置する場合には、それぞれの塗装板に対して温度センサーを取りつけることが必要となる。温度センサーの取り付け方法は特に限定はなく、粘着テープ、剥離が可能な接着剤等が使用できる。
【００１４】
箱型ケースの中身部の内側面は、断熱材が貼付されていることが好ましい。これは、塗装板裏側の温度センサーを取りつけている空間と、外側空間とをできるだけ温度的に絶縁することにより、塗装塗膜による遮熱性を正確に評価することができるためである。断熱材としては、従来公知のものが使用できる。ポリウレタン、ポリスチレン、ポリエチレン、ポリエステル、塩化ビニル、酢酸ビニル等の各種のプラスチックの発泡体（プラスチックフォーム材）、嵩高性の不織布・フェルト、ロックウール、ガラスウールが例示できる。
なお、これらの断熱材は、衝撃吸収性を有する材料を選択しておけば、本発明になる評価装置の一式を箱型ケース中身部に収容し、持ち運ぶ際に、外部からの衝撃から光源等の各要素を保護する機能を併せ持つため、好都合である。
【００１５】
本発明になる評価装置は、温度表示装置に表示される温度により遮熱塗膜の評価が可能であるが、温度センサーからの信号を磁気記録装置により記録可能な様にパソコンを接続したり、自動記録装置を接続して温度変化を記録紙に自動記録させることによって、様々な塗料配合における遮熱塗膜の評価を分類整理することが容易となり、これらの記録を分析することにより、更なる遮熱性の向上など、製品開発に役立てることができる。
【００１６】
【発明の実施の形態】
以下に、本発明の理解を助けるために具体的な実施例を説明する。言うまでもないが、本発明は以下の実施例に限定されるものではない。
【００１７】
【実施例】
持ち運び可能な箱型ケースとして、ノート型パソコン運搬用カバンを利用し、内側中心部の緩衝材を取り去って、内部空間を確保した。
内部空間の約１／３程に、光源であるレフランプ、レフランプ固定用アーム、レフランプ用電源コード、温度表示装置を収容し、のこりの約２／３の空間に、遮熱塗膜を形成した試験塗板、比較対照用の通常塗板を並べて載置できる様にした。各塗板の裏側略中心部に温度センサーを粘着テープで取りつけ、該温度センサーから信号ケーブルにより温度表示装置に接続した。
箱型ケースを開き、中身部分と蓋部分の開き角度を略９０度として固定した。レフランプを取り出し、固定用アームのつかみ部でレフランプのソケット部をつかんで、クランプねじで固定し、アームの残り部分を、箱型ケースの蓋部分の上辺中央付近にクリップで固定し、レフランプが真下、２枚の塗装板の中央付近に光が照射されるように位置を調整した。
レフランプの電源コードをコンセントに差し込み、レフランプのスイッチをＯＮとして、光照射を開始し、温度センサーからの温度を表示装置により読み取り、温度の上昇が見られなくなった飽和状態となった時の温度をもって、遮熱温度とした。
【００１８】
【発明の効果】
本発明の評価装置によれば、装置の全ては持ち運びが容易な箱型ケースに収容されているため、いかなる場所でも遮熱塗膜の評価が可能である。装置全体も、ノートパソコン用のカバンを流用できる程度で大変小型であるため、一人での輸送が可能であり、なおかつ需要先にて簡単に装置を組み立て、評価試験を行なうことができるため、遮熱塗料の性能デモンストレーション等に大変有効である。
【図面の簡単な説明】
【図１】本発明になる遮熱塗膜の評価装置の側面からの断面図である。
【図１】
2005024252.tif 000003